(57)【要約】【課題】  不必要な店舗情報を記録することを防ぐことが可能な情報処理装置を提供する。【解決手段】  記憶部１０３は、コンテンツを選択的に受信するための基準距離を記憶する。位置検出部１１６は、情報処理装置１００の現在位置を取得する。制御部１１３は、無線部１０２が受け付けたコンテンツに含まれる店舗の位置および位置検出部１１６が取得した現在位置に基づいて、店舗と情報処理装置１００との店舗距離を算出し、算出した店舗距離が選別基準距離以上か否かを判断する。制御部１１３は、算出された店舗距離が選別基準距離未満であると、コンテンツを記録する。提示部１０５は、制御部１１３が記録したコンテンツを提示する。【選択図】      図１
2007072498.tif 000002
【特許請求の範囲】
【請求項１】
店舗の位置を含む店舗情報を選択的に記録する情報処理装置であって、
前記店舗情報を選別するための基準距離を記憶する記憶手段と、
前記情報処理装置の現在位置を取得する位置取得手段と、
前記店舗情報を受け付ける入力手段と、
前記入力手段が前記店舗情報を受け付けると、前記受け付けた店舗情報が含む店舗の位置および前記位置取得手段にて取得された現在位置に基づいて、前記店舗の位置と前記現在位置との店舗距離を算出し、前記算出した店舗距離が前記基準距離以上か否かを判断する判断手段と、
前記算出された店舗距離が前記基準距離未満であると、前記入力手段が受け付けた店舗情報を記録する管理手段と、
前記管理手段が店舗情報を記録すると、前記記録した店舗情報をユーザに提示する提示手段と、
を含む情報処理装置。
【請求項２】
請求項１に記載の情報処理装置において、
前記店舗情報は、店舗の種別をさらに含み、
前記記憶手段は、前記店舗の種別と、該店舗の種別を含む店舗情報を選別するための選別基準距離と、を関連づけて記憶し、
前記判断手段は、前記店舗距離を算出すると、前記算出した店舗距離が、前記受け付けられた店舗情報が含む店舗の種別と関連づけられた選別基準距離以上か否かを判断し、
前記管理手段は、前記算出された店舗距離が前記選別基準距離未満であると、前記入力手段が受け付けた店舗情報を記録する、情報処理装置。
【請求項３】
請求項２に記載の情報処理装置において、
前記記憶手段は、前記店舗の種別と、該店舗の種別を含む店舗情報の提示と該店舗の種別を含む店舗情報を受信した旨の提示との少なくとも一方を示す出力情報と、を関連づけて記憶し、
前記管理手段は、前記店舗情報を記録すると、前記記録した店舗情報が含む店舗の種別と関連づけられた出力情報を確認し、
前記提示手段は、前記管理手段にて確認された出力情報が店舗情報を受信した旨の提示を示すと、前記店舗情報を受信した旨を提示し、前記管理手段にて確認された出力情報が店舗情報の提示を示すと、前記記録した店舗情報をユーザに提示する、情報処理装置。
【請求項４】
請求項１ないし３のいずれか１項に記載の情報処理装置と、前記情報処理装置と接続可能な車載装置と、を含む情報処理システムであって、
前記管理手段は、前記情報処理装置と前記車載装置とが接続されているか否かを確認し、
前記入力手段は、前記情報処理装置と前記車載装置とが接続されていると、前記店舗情報を受け付ける、情報処理システム。
【請求項５】
請求項４に記載の情報処理システムにおいて、
前記車載装置は、前記車載装置の現在位置を測定する測定手段、を含み、
前記位置取得手段は、前記測定手段にて測定された現在位置を前記情報処理装置の現在位置として取得する、情報処理システム。
【請求項６】
請求項４または５に記載の情報処理システムにおいて、
前記車載装置は、移動体に設置され、
前記移動体が移動しているか否かを確認する車載測定手段、
を含み、
前記入力手段は、前記移動体が移動しているときに前記情報処理装置と前記車載装置とが接続されると、前記店舗情報を受け付ける、情報処理システム。
【請求項７】
店舗の位置を含む店舗情報を選別するための基準距離を記憶する記憶手段を含み、前記店舗情報を選択的に記録する前記情報処理装置が行なう選択的記録方法であって、
前記情報処理装置の現在位置を取得する取得ステップと、
前記店舗情報を受け付ける入力ステップと、
前記入力ステップにて前記店舗情報が受け付けられると、前記受け付けられた店舗情報が含む店舗の位置および前記取得ステップにて取得された現在位置に基づいて、前記店舗の位置と前記現在位置との店舗距離を算出する算出ステップと、
前記算出ステップにて前記店舗距離が算出されると、前記算出された店舗距離が前記基準距離以上か否かを判断する判断ステップと、
前記算出された店舗距離が前記基準距離未満であると、前記入力ステップにて受け付けられた店舗情報を記録する記録ステップと、
前記記録ステップにて前記店舗情報が記録されると、前記記録された店舗情報をユーザに提示する提示ステップと、
を含む選択的記録方法。
【請求項８】
請求項７に記載の選択的記録方法において、
前記店舗情報は、店舗の種別をさらに含み、
前記記憶手段は、前記店舗の種別と、該店舗の種別を含む店舗情報を選別するための選別基準距離と、を関連づけて記憶し、
前記算出ステップにて前記店舗距離が算出されると、前記算出された店舗距離が前記受け付けられた店舗情報が含む店舗の種別と関連づけられた選別基準距離以上か否かを判断する選別ステップと、
前記算出された店舗距離が前記選別基準距離未満であると、前記入力ステップにて受け付けられた店舗情報を記録する選別記録ステップと、
をさらに含む選択的記録方法。
【請求項９】
請求項８に記載の選択的記録方法において、
前記記憶手段は、前記店舗の種別と、該店舗の種別を含む店舗情報の提示と該店舗の種別を含む店舗情報を受信した旨の提示との少なくとも一方を示す出力情報と、を関連づけて記憶し、
前記記録ステップにて前記店舗情報が記録されると、前記記録された店舗情報が含む店舗の種別と関連づけられた出力情報を確認する確認ステップと、
前記確認ステップにて確認された出力情報が店舗情報を受信した旨の提示を示すと、前記店舗情報を受信した旨を提示する出力ステップと、
前記確認ステップにて確認された出力情報が店舗情報の提示を示すと、前記記録された店舗情報をユーザに提示する確認提示ステップと、
をさらに含む選択的記録方法。
【請求項１０】
請求項１ないし３のいずれか１項に記載の情報処理装置と、前記情報処理装置と接続可能な車載装置と、を含む情報処理システムが行なう受付方法であって、
前記車載装置が、前記情報処理装置と前記車載装置とが接続されているか否かを確認する接続確認ステップと、
前記車載装置が、前記情報処理装置と前記車載装置とが接続されていると、前記店舗情報を受け付ける受付ステップと、
を含む受付方法。
【請求項１１】
請求項１０に記載の受付方法において、
前記車載装置が、車載装置の現在位置を測定する測定ステップと、
前記情報処理装置が、前記測定ステップにて前記車載装置の現在位置を測定すると、前記測定された車載装置の現在位置を前記情報処理装置の現在位置として取得する位置取得ステップと、
をさらに含む受付方法。
【請求項１２】
請求項１０または１１に記載の受付方法において、
前記車載装置は、移動体に設置され、
前記車載装置が、前記移動体が移動しているか否かを確認する車載測定ステップと、
前記情報処理装置が、前記移動体が移動しているときに前記情報処理装置と前記車載装置とが接続されると、前記店舗情報を受け付ける移動受付ステップと、
をさらに含む受付方法。
【請求項１３】
店舗の位置を含む店舗情報を選別するための基準距離を記憶する記憶手段に接続され、前記店舗情報を選択的に記録するコンピュータに選択的記録処理を実行させるプログラムであって、
前記情報処理装置の現在位置を取得する取得処理と、
前記店舗情報を受け付ける入力処理と、
前記入力処理にて前記店舗情報が受け付けられると、前記受け付けられた店舗情報が含む店舗の位置および前記取得処理にて取得された現在位置に基づいて、前記店舗の位置と前記現在位置との店舗距離を算出する算出処理と、
前記算出処理にて前記店舗距離が算出されると、前記算出された店舗距離が前記基準距離以上か否かを判断する判断処理と、
前記算出された店舗距離が前記基準距離未満であると、前記入力処理にて受け付けられた店舗情報を記録する記録処理と、
前記記録処理にて前記店舗情報が記録されると、前記記録された店舗情報を提示する提示処理と、
を含む選択的記録処理を前記コンピュータに実行させるプログラム。
【発明の詳細な説明】
【技術分野】
【０００１】
本発明は、情報処理装置、情報処理システム、選択的記録方法、受付方法およびプログラムに関し、特に、各種情報を選択的に記録する情報処理装置、情報処理システム、選択的記録方法、受付方法およびプログラムに関する。
【背景技術】
【０００２】
従来、ユーザは、端末機（例えば、携帯電話機）にてコンテンツを取得する場合、端末機をサーバにアクセスさせ、アクセスされたサーバからコンテンツを端末機にて取得する必要があった。
【０００３】
しかしながら、近年、ユーザは、端末機をサーバにアクセスさせなくても、サーバが送信するコンテンツを端末機に受信させることにより、コンテンツを端末機にて取得することが可能になっている。
【０００４】
例えば、サーバが店舗の位置および販売商品などの店舗情報を含むコンテンツを送信すると、ユーザは、端末機に該コンテンツを受信させることにより、店舗の位置および販売商品などを取得することが可能になる。
【０００５】
例えば、特許文献１（特開２００２−１７６４０３号公報）には、特定の地域範囲にコンテンツサーバが送信するコンテンツを受信する移動端末が記載されている。この移動端末は、コンテンツサーバからコンテンツを受信すると、受信したコンテンツがユーザにて設定されたカテゴリおよびキーワードに該当するか否かを判断し、そのカテゴリおよびキーワードに該当するコンテンツのみを記録する。
【特許文献１】特開２００２−１７６４０３号公報
【発明の開示】
【発明が解決しようとする課題】
【０００６】
特許文献１に記載の移動端末では、ユーザにて設定されたカテゴリおよびキーワードに該当するコンテンツが全て記録される。このため、この移動端末は、ユーザが必要としない遠方の店舗の情報まで記録してしまう。
【０００７】
本発明の目的は、不必要な店舗情報の記録を防ぐことが可能な情報処理装置、情報処理システム、選択的記録方法、受付方法およびプログラムを提供することである。
【課題を解決するための手段】
【０００８】
前記目的を達成するために、店舗の位置を含む店舗情報を選択的に記録する情報処理装置であって、前記店舗情報を選別するための基準距離を記憶する記憶手段と、前記情報処理装置の現在位置を取得する位置取得手段と、前記店舗情報を受け付ける入力手段と、前記入力手段が前記店舗情報を受け付けると、前記受け付けた店舗情報が含む店舗の位置および前記位置取得手段にて取得された現在位置に基づいて、前記店舗の位置と前記現在位置との店舗距離を算出し、前記算出した店舗距離が前記基準距離以上か否かを判断する判断手段と、前記算出された店舗距離が前記基準距離未満であると、前記入力手段が受け付けた店舗情報を記録する管理手段と、前記管理手段が店舗情報を記録すると、前記記録した店舗情報をユーザに提示する提示手段と、を含む。
【０００９】
また、本発明の選択的記録方法は、店舗の位置を含む店舗情報を選別するための基準距離を記憶する記憶手段を含み、前記店舗情報を選択的に記録する情報処理装置が行なう選択的記録方法であって、前記情報処理装置の現在位置を取得する取得ステップと、前記店舗情報を受け付ける入力ステップと、前記入力ステップにて前記店舗情報が受け付けられると、前記受け付けられた店舗情報が含む店舗の位置および前記取得ステップにて取得された現在位置に基づいて、前記店舗の位置と前記現在位置との店舗距離を算出する算出ステップと、前記算出ステップにて前記店舗距離が算出されると、前記算出された店舗距離が前記基準距離以上か否かを判断する判断ステップと、前記算出された店舗距離が前記基準距離未満であると、前記入力ステップにて受け付けられた店舗情報を記録する記録ステップと、前記記録ステップにて前記店舗情報が記録されると、前記記録された店舗情報をユーザに提示する提示ステップと、を含む。
【００１０】
上記の発明によれば、受け付けられた店舗情報が含む店舗の位置と情報処理装置の現在位置との距離が算出される。算出された距離が基準距離未満であると、店舗情報が記録され、記録された店舗情報が提示される。
【００１１】
これにより、情報処理装置の近傍にある店舗の店舗情報だけを記録することが可能になるため、不必要な店舗情報を記録することを防ぐことが可能になる。
【００１２】
また、前記店舗情報は、店舗の種別をさらに含み、前記店舗の種別と該店舗の種別を含む店舗情報を選別するための選別基準距離とが、関連づけられて記憶され、前記店舗距離が算出されると、前記算出された店舗距離が前記受け付けられた店舗情報にて含まれる店舗の種別と関連づけられた選別基準距離以上か否かが判断され、前記算出された店舗距離が前記選別基準距離未満であると、前記受け付けられ店舗情報が記録されることが望ましい。
【００１３】
上記の発明によれば、店舗距離が受け付けられた店舗情報に含まれる店舗の種別と関連づけられた選別基準距離以上か否かが判断される。
【００１４】
これにより、例えば、店舗の種別がレストランの場合に選別基準距離を１ｋｍとし、店舗の種別がガソリンスタンドの場合に選別基準距離を３ｋｍとするなど、店舗の種別に応じて、店舗情報を選別するための選別基準距離を変更することが可能になる。このため、ユーザに細やかなサービスを提供することが可能になる。
【００１５】
また、前記店舗の種別と、該店舗の種別を含む店舗情報の提示と該店舗の種別を含む店舗情報を受信した旨の提示との少なくとも一方を示す出力情報と、が関連づけられて記憶され、前記店舗情報が記録されると、前記記録された店舗情報が含む店舗の種別と関連づけられた出力情報が確認され、前記確認された出力情報が店舗情報を受信した旨の提示を示すと、前記店舗情報を受信した旨が提示され、前記確認された出力情報が店舗情報の提示を示すと、前記記録された店舗情報が提示されることが望ましい。
【００１６】
例えば、コンビニエンスストアなど同じ種別の店舗が近傍に多数存在する場合、近傍に存在する店舗の店舗情報が全て提示されると、ユーザにとって煩わしい可能性がある。
【００１７】
上記の発明によれば、店舗情報が含む店舗の種別と関連づけられた出力情報が店舗情報を受信した旨の提示を示していると、店舗情報を受信した旨が提示される。よって、店舗情報を受信した旨を（例えば、報知音などで）提示することが可能になるため、煩わしさを軽減することが可能になる。
【００１８】
また、本発明の情報処理システムは、前記情報処理装置と、前記情報処理装置と接続可能な車載装置と、を含む情報処理システムであって、前記管理手段は、前記情報処理装置と前記車載装置とが接続されているか否かを確認し、前記入力手段は、前記情報処理装置と前記車載装置とが接続されていると、前記店舗情報を受け付ける。
【００１９】
また、本発明の受付方法は、前記情報処理装置と、前記情報処理装置と接続可能な車載装置と、を含む情報処理システムが行なう受付方法であって、前記車載装置が、前記情報処理装置と前記車載装置とが接続されているか否かを確認する接続確認ステップと、前記車載装置が、前記情報処理装置と前記車載装置とが接続されていると、前記店舗情報を受け付ける受付ステップと、を含む。
【００２０】
上記の発明によれば、情報処理装置と車載装置とが接続されると、店舗情報が受け付けられる。これにより、ユーザが情報処理装置に店舗情報の受け付けを開始させる手間を軽減することが可能になる。
【００２１】
また、前記車載装置にて前記車載装置の現在位置が測定され、前記測定された車載装置の現在位置が前記情報処理装置の現在位置として取得されることが望ましい。
【００２２】
上記の発明によれば、車載装置にて測定された車載装置の現在位置が、情報処理装置の現在位置として取得される。これにより、情報処理装置（例えば、携帯電話機）が、車載装置（例えば、カーナビゲーション装置）から自己の位置を取得することが可能になる。このため、情報処理装置は、例えば、ＧＰＳ（Ｇｌｏｂａｌ Ｐｏｓｉｔｉｏｎｉｎｇ Ｓｙｓｔｅｍ）など位置を測定する手段を備えなくても良いため、情報処理装置のコストを軽減することが可能になる。
【００２３】
また、前記車載装置は、移動体に設置され、前記移動体が移動しているか否かが確認され、前記移動体が移動しているときに前記情報処理装置と前記車載装置とが接続されると、前記店舗情報が受け付けられることが望ましい。
【００２４】
上記の発明によれば、移動体が移動しているときに情報処理装置と車載装置とが接続されると、店舗情報が受け付けられる。これにより、車載装置が移動している場合に、店舗情報を受け付けることが可能になる。
【００２５】
また、本発明のプログラムは、店舗の位置を含む店舗情報を選別するための基準距離を記憶する記憶手段に接続され、前記店舗情報を選択的に記録するコンピュータに選択的記録処理を実行させるプログラムであって、前記情報処理装置の現在位置を取得する取得処理と、前記店舗情報を受け付ける入力処理と、前記入力処理にて前記店舗情報が受け付けられると、前記受け付けられた店舗情報が含む店舗の位置および前記取得処理にて取得された現在位置に基づいて、前記店舗の位置と前記現在位置との店舗距離を算出する算出処理と、前記算出処理にて前記店舗距離が算出されると、前記算出された店舗距離が前記基準距離以上か否かを判断する判断処理と、前記算出された店舗距離が前記基準距離未満であると、前記入力処理にて受け付けられた店舗情報を記録する記録処理と、前記記録処理にて前記店舗情報が記録されると、前記記録された店舗情報を提示する提示処理と、を含む選択的記録処理を前記コンピュータに実行させる。
【００２６】
上記の発明によれば、前記選択的記録方法をコンピュータに実行させることが可能になる。
【発明の効果】
【００２７】
本発明によれば、不必要な店舗情報を記録することを防ぐことが可能になる。
【発明を実施するための最良の形態】
【００２８】
以下、本発明の実施例について図面を参照して説明する。
【００２９】
図１は、本発明の一実施例の情報処理システムを示したブロック図である。
【００３０】
図１において、情報処理システムは、情報処理装置１００と、車載装置２００と、基地局３００と、コンテンツサーバ３１０と、店舗端末機３２０ないし３２２とを含む。
【００３１】
店舗端末機３２０ないし３２２は、例えば、外食店あるいはガソリンスタンドなど、各種店舗の店舗情報を含むコンテンツを記憶する。
【００３２】
ここで、店舗情報は、店舗の種別を示す種別情報、店舗の位置を示す位置情報、および、店舗がユーザに提供するサービスを示すサービス情報を含む。
【００３３】
コンテンツサーバ３１０は、店舗端末機３２０ないし３２２に記憶されたコンテンツを取得し、取得したコンテンツを記憶する。
【００３４】
基地局３００は、所定のエリアごとに設置される。なお、図１では、基地局の数は、１だが、実際には複数ある。
【００３５】
基地局３００と情報処理装置１００とは、無線にて接続される。
【００３６】
コンテンツサーバ３１０は、記憶したコンテンツを、基地局３００を介して情報処理装置１００（具体的には、無線部１０２）に出力する。
【００３７】
情報処理装置１００は、例えば、携帯電話機である。
【００３８】
車載装置２００は、例えば、カーナビゲーション装置であり、移動体（例えば、自動車）に設置される。
【００３９】
また、情報処理装置１００と車載装置２００とは、接続可能である。
【００４０】
車載装置２００は、位置測定部２０１と、車載観測部２０２と、車載制御部２０３と、車載表示部２０４と、車載接続部２０５、車載記憶部２０６とを含む。
【００４１】
位置測定部２０１は、例えば、ＧＰＳにて車載装置２００の現在位置を測定し、測定した車載装置２００の現在位置を示す車載位置情報を車載制御部２０３に出力する。
【００４２】
車載観測部２０２は、例えば、移動体が移動しているか否かなどの運転状況を確認し、確認した運転状況を示す運転情報を車載制御部２０３に出力する。
【００４３】
車載記憶部２０６は、地図情報およびユーザの目的地を示す目的地情報を記憶する。
【００４４】
車載制御部２０３は、位置測定部２０１から車載位置情報を受け付け、さらに、車載観測部２０２から運転情報を受け付けると、受け付けた車載位置情報が示す車載装置２００の現在位置周辺の地図情報および目的地情報を車載記憶部２０６から取得する。
【００４５】
車載制御部２０３は、地図情報および目的地情報を取得すると、取得した地図情報および目的地情報と、受け付けた車載位置情報および運転情報とを車載表示部２０４に表示する。
【００４６】
情報処理装置１００は、処理部１０１と、無線部１０２と、記憶部１０３と、設定部１０４と、提示部１０５と、操作部１０６と、接続部１０７と、メモリ１０８とを含む。
【００４７】
メモリ１０８は、コンピュータにて読み取り可能な記録媒体であり、処理部１０１の動作を規定するプログラムを記録している。
【００４８】
処理部１０１は、例えば、コンピュータであり、メモリ１０８に記録されているプログラムを読み取り、読み取られたプログラムを実行し、管理部１１０と検出部１１１と判断部１１２とを実現する。
【００４９】
設定部１０４は、情報処理装置を、基地局３００から送信されるコンテンツの受信を許可するか否かのどちらか一方に設定する。
【００５０】
管理部１１０は、制御部１１３と、音声処理部１１４とを含む。
【００５１】
制御部１１３は、情報処理装置１００と車載装置２００とが接続されているか否かを確認する。
【００５２】
具体的には、制御部１１３は、接続部１０７を監視し、接続部１０７と車載接続部２０５とが、接続されているか否かを確認する。制御部１１３は、接続部１０７と車載接続部２０５とが接続されていると、情報処理装置１００と車載装置２００とが接続されていると判断する。
【００５３】
情報処理装置１００と車載装置２００とが接続されると、制御部１１３は、設定部１０４にてコンテンツの受信が許可されているか否かを確認する。
【００５４】
コンテンツの受信が許可されていないと、制御部１１３は、動作を終了する。
【００５５】
一方、コンテンツの受信が許可されていると、制御部１１３は、検出部１１１（具体的には、車載検出部１１５および位置検出部１１６）に動作命令を出力する。
【００５６】
検出部１１１は、車載検出部１１５と、位置検出部１１６とを含む。
【００５７】
車載検出部１１５は、制御部１１３から動作命令を受け付けると、接続部１０７および車載接続部２０５を介して、車載観測部２０２にて確認された運転状況を示す運転情報を取得する。
【００５８】
車載検出部１１５は、車載観測部２０２から運転情報を取得すると、取得した運転情報を制御部１１３に出力する。
【００５９】
位置検出部１１６は、制御部１１３から動作命令を受け付けると、接続部１０７および車載接続部２０５を介して、位置測定部２０１にて測定された車載装置２００の現在位置を示す車載位置情報を取得する。
【００６０】
なお、位置検出部１１６は、位置測定部２０１から取得した車載位置情報を、情報処理装置１００の現在位置を示す現在位置情報として用いる。
【００６１】
位置検出部１１６は、位置測定部２０１から現在位置情報を取得すると、取得した現在位置情報を制御部１１３に出力する。
【００６２】
制御部１１３は、車載検出部１１５から運転情報を受け付け、さらに、位置検出部１１６から現在位置情報を受け付けると、受け付けた運転情報に基づいて移動体が移動しているか否かを判断する。
【００６３】
移動体が移動していると、制御部１１３は、無線部１０２にコンテンツの受け付けを開始させると共に、判断部１１２に受け付けた現在位置情報を出力する。
【００６４】
無線部１０２は、基地局３００からコンテンツを受け付けると、受け付けたコンテンツを判断部１１２に出力する。
【００６５】
記憶部１０３は、コンテンツを選別するための選択条件を示した条件情報を記憶する。
【００６６】
具体的には、条件情報は、店舗の種別を示した種別情報と、該種別情報を含むコンテンツを選別するための選別基準距離を示す距離情報と、該店舗情報を含むコンテンツを受信した際にユーザに提示する提示形式を示す出力情報と、を種別ごとに関連づけた情報である。
【００６７】
図２は、条件情報の一例を示した例示図である。図２において、条件情報２０は、種別２１と、距離２２と、提示形式２３とを含む。
【００６８】
種別２１は、種別情報であり、店舗の種別を示す。
【００６９】
距離２２は、距離情報であり、種別２１を含むコンテンツを選別するための選別基準距離を示す。
【００７０】
提示形式２３は、出力情報であり、種別２１を含むコンテンツをユーザに提示する提示形式を示す。
【００７１】
なお、提示形式２３において、「表示」および「音声」は、「店舗情報の提示」を示し、「報知音」は、「店舗情報を受信した旨の提示」を示す。
【００７２】
判断部１１２は、制御部１１３から現在位置情報を受け付け、さらに、無線部１０２からコンテンツを受け付けると、受け付けたコンテンツが含む位置情報にて示される店舗の位置および受け付けた現在位置情報にて示される情報処理装置１００の現在位置に基づいて、現在位置と店舗の位置との店舗距離を算出する。
【００７３】
判断部１１２は、店舗距離を算出すると、受け付けたコンテンツが含む種別情報と関連づけられた選別基準距離を確認し、算出した店舗距離が確認した選別基準距離以上か否かを判断する。
【００７４】
その店舗距離が選別基準距離未満であると、判断部１１２は、受け付けたコンテンツを制御部１１３に出力する。
【００７５】
制御部１１３は、判断部１１２からコンテンツを受信すると、受信したコンテンツをメモリ１０８に記録する。
【００７６】
制御部１１３は、コンテンツをメモリ１０８に記録すると、記録したコンテンツに含まれる種別情報と関連づけられた出力情報を確認する。
【００７７】
制御部１１３が出力情報を確認すると、管理部１１０は、制御部１１３が確認した出力情報が示す提示形式に応じて、所定の情報を提示部１０５に提示させる。
【００７８】
例えば、提示部１０５は、表示部１２０と、スピーカ１２１とを含む。
【００７９】
確認された出力情報が「表示」を示すと、制御部１１３は、受け付けたコンテンツを表示部１２０に表示させる。
【００８０】
また、確認された出力情報が「音声」を示すと、制御部１１３は、受け付けたコンテンツを音声処理部１１４に出力する。音声処理部１１４は、制御部１１３からコンテンツを受け付けると、受け付けたコンテンツを音声にてスピーカ１２に出力させる。
【００８１】
さらに、確認された出力情報が「報知音」を示すと、制御部１１３は、コンテンツを受信した旨の受信情報を音声処理部１１４に出力する。音声処理部１１４は、制御部１１３から受信情報を受け付けると、コンテンツを受信した旨を、報知音にてスピーカ１２１に出力させる。
【００８２】
なお、出力情報は、複数の提示形式を示しても良い。
【００８３】
例えば、確認された出力情報が「表示」および「報知音」を示すと、制御部１１３は、受信したコンテンツを表示部１２０に表示させると共に、受信情報を音声処理部１１４に出力する。音声処理部１１４は、制御部１１３から受信情報を受け付けると、コンテンツを受信した旨を、報知音にてスピーカ１２１に出力させる
操作部１０６は、ユーザから、受信したコンテンツが含む店舗の位置を車載装置に表示する旨の表示要求を受け付ける。
【００８４】
操作部１０６は、キー入力部１３０と、マイク１３１とを含む。
【００８５】
キー入力部１３０は、ユーザから表示要求を受け付けると、受け付けた表示要求を制御部１１３に出力する。
【００８６】
マイク１３１は、ユーザから表示要求を音声にて受け付けると、音声にて受け付けた表示要求をアナログ情報で音声処理部１１４に出力する。
【００８７】
音声処理部１１４は、マイクから受け付けたアナログ情報の表示要求をデジタル情報に変換し、デジタル情報に変換した表示要求を制御部１１３に出力する。
【００８８】
制御部１１３は、操作部１０６あるいは音声処理部１１４から表示要求を受け付けると、受け付けたコンテンツが含む位置情報を、接続部１０７および車載接続部２０５を介して車載制御部２０３に出力する。
【００８９】
車載制御部２０３は、制御部１１３から位置情報を受け付けると、受け付けた位置情報が示す店舗の位置を、車載表示部２０４に目的地として表示する。
【００９０】
次に動作を説明する。
【００９１】
図３は、情報処理システムの動作を説明するためのフローチャートである。
【００９２】
ステップ５０１では、制御部１１３は、接続部１０７が車載接続部２０５と接続したか否かを確認する。制御部１１３は、接続部１０７が車載接続部２０５と接続すると、ステップ５０２を実行し、接続部１０７が車載接続部２０５と接続しないと、ステップ５０１を実行する。
【００９３】
ステップ５０２では、制御部１１３は、設定部１０４にてコンテンツの受信が許可されているか否かを確認する。制御部１１３は、コンテンツの受信が許可されていると、ステップ５０３を実行し、コンテンツの受信が許可されていないと、ステップ５０４を実行する。
【００９４】
ステップ５０３では、制御部１１３は、車載検出部１１５および位置検出部１１６に動作命令を出力する。
【００９５】
車載検出部１１５は、動作命令を受け付けると、接続部１０７および車載接続部２０５を介して、車載観測部２０２から運転情報を取得する。車載検出部１１５は、運転情報を取得すると、取得した運転情報を制御部１１３に出力する。
【００９６】
位置検出部１１６は、動作命令を受け付けると、接続部１０７および車載接続部２０５を介して、位置測定部２０１にて測定された車載装置２００の現在位置を示す車載位置情報を取得する。
【００９７】
なお、位置検出部１１６は、位置測定部２０１から取得した車載位置情報を、情報処理装置１００の現在位置を示す現在位置情報として用いる。
【００９８】
位置検出部１１６は、現在位置情報を取得すると、取得した現在位置情報を制御部１１３に出力する。
【００９９】
制御部１１３は、運転情報および現在位置情報を受け付けると、ステップ５０５実行する。
【０１００】
ステップ５０４では、制御部１１３は、動作を終了する。
【０１０１】
ステップ５０５は、制御部１１３は、受け付けた運転情報に基づいて移動体が移動しているか否かを判断する。制御部１１３は、移動体が移動していると、ステップ５０６を実行し、移動体が移動していないとステップ５０３を実行する。
【０１０２】
ステップ５０６では、制御部１１３は、無線部１０２にコンテンツの受け付けを開始させると共に、受け付けた現在位置情報を判断部１１２に出力する。無線部１０２は、制御部１１３からコンテンツの受け付けの開始の制御を受けると、無線部１０２がステップ５０７を実行する。
【０１０３】
ステップ５０７では、無線部１０２は、コンテンツを受け付けると、受け付けたコンテンツを判断部１１２に出力する。判断部１１２は、無線部１０２からコンテンツを受け付けると、ステップ５０８を実行する。
【０１０４】
ステップ５０８では、判断部１１２は、受け付けたコンテンツが含む位置情報にて示される店舗の位置および受け付けた現在位置情報にて示される情報処理装置１００の現在位置に基づいて、情報処理装置１００の現在位置と店舗の位置との店舗距離を算出する。
【０１０５】
判断部１１２は、店舗距離を算出すると、受け付けたコンテンツが含む店舗の種別と記憶部１０３にて関連づけられた選別基準距離を確認し、算出した店舗距離が確認した選別基準距離以上か否かを判断する。
【０１０６】
制御部１１３は、その店舗距離が選別基準距離未満であると、ステップ５０９を実行し、その店舗距離が選別基準距離以上であると、ステップ５０３を実行する。
【０１０７】
ステップ５０９では、判断部１１２は、受け付けたコンテンツを制御部１１３に出力する。制御部１１３は、コンテンツを受信すると、受信したコンテンツをメモリ１０８に記録する。
【０１０８】
制御部１１３は、コンテンツを記録すると、記録したコンテンツに含まれる種別情報と関連づけられて記憶された出力情報を確認する。
【０１０９】
制御部１１３が出力情報を確認すると、換言すれば、管理部１１０が出力情報を確認すると、管理部１１０は、確認された出力情報が示す提示形式に応じて、所定の情報を提示部１０５に提示させる。
【０１１０】
管理部１１０がステップ５０９を終了すると、操作部１０６がステップ５１０を実行する。
【０１１１】
ステップ５１０では、操作部１０６は、ユーザから表示要求を受け付けると、受け付けた表示要求を管理部１１０に出力する。
【０１１２】
具体的には、キー入力部１３０は、ユーザから表示要求を受け付けると、受け付けた表示要求を制御部１１３に出力する。あるいは、マイク１３１は、ユーザから表示要求を音声で受け付けると、音声で受け付けた表示要求を音声処理部１１４に出力する。音声処理部１１４は、マイクから受け付けた表示要求をデジタル情報に変換し、デジタル情報に変換した表示要求を制御部１１３に出力する。
【０１１３】
制御部１１３は、表示要求を受け付けると、ステップ５１１を実行する。
【０１１４】
ステップ５１１では、制御部１１３は、メモリ１０８に記録されたコンテンツに含まれる位置情報を取得し、取得した位置情報を、接続部１０７および車載接続部２０５を介して車載制御部２０３に出力する。
【０１１５】
車載制御部２０３は、制御部１１３から位置情報を受け付けると、受け付けた位置情報が示す店舗の位置を、車載表示部２０４に目的地として表示する。
【０１１６】
本実施例によれば、記憶部１０３は、店舗情報を含むコンテンツを選別するための基準距離を記憶する。位置検出部１１６は、情報処理装置１００の現在位置を取得する。無線部１０２は、基地局３００からコンテンツを受け付ける。
【０１１７】
判断部１１２は、無線部１０２が受け付けたコンテンツに含まれる位置情報および位置検出部１１６にて取得された現在位置を示す現在位置情報に基づいて、店舗の位置と現在位置との店舗距離を算出する。判断部１１２は、店舗距離を算出すると、算出した店舗距離が選別基準距離以上か否かを判断する。
【０１１８】
管理部１１０は、算出された店舗距離が選別基準距離未満であると、無線部１０２が受け付けたコンテンツを記録する。提示部１０５は、管理部１１０にて記録されたコンテンツを提示する。
【０１１９】
このため、受け付けられた店舗情報が含む店舗の位置と情報処理装置１００の現在位置との距離が算出される。算出された距離が選別基準距離未満であると、店舗情報が記録され、記録された店舗情報が提示される。よって、情報処理装置１００の近傍にある店舗の店舗情報だけを記録することが可能になるため、不必要な情報を記録することを防ぐことが可能になる。
【０１２０】
また、本実施例では、記憶部１０３は、店舗の種別を示した種別情報と、該種別情報を含むコンテンツを選別するための選別基準距離を示す距離情報と、を種別情報ごとに関連づけて記憶する。判断部１１２は、店舗距離を算出すると、算出した店舗距離が無線部１０２にて受け付けられた店舗情報に含まれる種別情報と関連づけられた選別基準距離以上であるか否かを判断する。
【０１２１】
このため、店舗距離が受け付けられた店舗情報に含まれる店舗の種別と関連づけられた選別基準距離以上か否かが判断される。これにより、例えば、店舗の種別がレストランの場合に選別基準距離を１ｋｍとし、店舗の種別がガソリンスタンドの場合に選別基準距離を３ｋｍとするなど、店舗の種別に応じて、店舗情報を選別するための選別基準距離を変更することが可能になる。よって、ユーザに細やかなサービスを提供することが可能になる。
【０１２２】
また、本実施例では、記憶部１０３は、店舗の種別を示す種別情報と、該種別情報が示す店舗の種別を含む店舗情報の提示と該種別情報が示す店舗の種別を含む店舗情報を受信した旨の提示との少なくとも一方を示す出力情報と、を種別情報ごとに記憶する。管理部１１０は、コンテンツを受信すると、受信したコンテンツが含む種別情報と関連づけられた出力情報を確認する。管理部１１０は、確認した出力情報が「報知音」を示すと、コンテンツを受信した旨をスピーカ１２１に音声にて出力させる。
【０１２３】
例えば、コンビニエンスストアなど同じ種別の店舗が近傍に多数存在する場合、近傍に存在する店舗の店舗情報が全て提示されると、ユーザにとって煩わしい可能性がある。上記の実施例では、店舗情報が含む店舗の種別と関連づけられた出力情報が店舗情報を受信した旨の提示を示していると、店舗情報を受信した旨が提示される。よって、店舗情報を受信した旨を（例えば、報知音などで）提示することが可能になるため、煩わしさを軽減することが可能になる。
【０１２４】
また、本実施例では、管理部１１０は、情報処理装置１００と車載装置２００とが接続されたか否かを確認する。無線部１０２は、情報処理装置１００と車載装置２００とが接続されると、店舗情報を受け付ける。
【０１２５】
このため、情報処理装置と車載装置とが接続されると、店舗情報が受け付けられる。これにより、ユーザが情報処理装置に店舗情報の受け付けを開始させる手間を省くことが可能になる。
【０１２６】
また、本実施例では、車載観測部２０２は、車載装置２００の現在位置を測定する。位置検出部１１６は、車載観測部２０２にて測定された車載装置２００の現在位置を情報処理装置１００の現在位置として取得する。
【０１２７】
これにより、車載装置にて測定された車載装置の現在位置が、情報処理装置の現在位置として取得される。これにより、情報処理装置（例えば、携帯電話機）が、車載装置（例えば、カーナビゲイション）から自己の位置を取得することが可能になる。このため、情報処理装置は、例えば、ＧＰＳなど位置を測定する手段を備えなくても良いため、情報処理装置のコストを軽減することが可能になる。
【０１２８】
また、本実施例では、車載装置２００は、移動体に設置される。制御部１１３は、車載装置２００が設置された移動体が移動しているか否かを確認する。無線部１０２は、移動体が移動しているときに情報処理装置１００と車載装置２００とが接続されると、店舗情報を受け付ける。
【０１２９】
これにより、移動体が移動しているときに情報処理装置と車載装置とが接続されると、前記店舗情報が受け付けられる。よって、車載装置が移動している場合に、店舗情報を受け付けることが可能になる。
【０１３０】
以上説明した実施例において、図示した構成は単なる一例であって、本発明はその構成に限定されるものではない。
【０１３１】
例えば、本実施例では、情報処理装置１００と車載装置２００とが個別の装置として設けられていたが、車載装置２００が情報処理装置１００の有する機能を含んでも良い。
【図面の簡単な説明】
【０１３２】
【図１】本発明の一実施例の情報処理システムの構成を示したブロック図である。
【図２】条件情報の一例を示した例示図である。
【図３】情報処理システムの動作の一例を説明するためのフローチャートである。
【符号の説明】
【０１３３】
２０      条件情報
２１      種別
２２      距離
２３      報知方法
１００    情報処理装置
１０１    処理部
１０２    無線部
１０３    記憶部
１０４    設定部
１０５    提示部
１０６    操作部
１０７    接続部
１０８    メモリ
１１０    管理部
１１１    検出部
１１２    判断部
１１３    制御部
１１４    音声処理部
１１５    車載検出部
１１６    位置検出部
１２０    表示部
１２１    スピーカ
１３０    キー入力部
１３１    マイク
２００    車載装置
２０１    位置測定部
２０２    車載観測部
２０３    車載制御部
２０４    車載表示部
２０５    車載接続部
２０６    車載記憶部
３００    基地局
３１０    コンテンツサーバ
３２０    店舗端末機
３２１    店舗端末機
３２２    店舗端末機
【図１】
2007072498.tif 000003
【図２】
2007072498.tif 000004
【図３】
2007072498.tif 000005